(57)【要約】【課題】  本人確認を高信頼度に行うことができる指紋照合装置を提供する。【解決手段】  指紋読取部１が読み取った指紋データの特徴情報データを抽出する特徴情報抽出手段２と、指紋照合を行う本人のＩＤ番号を入力するＩＤ番号入力手段４と、ＩＤ番号の桁数を検出するＩＤ桁数検出手段３３と、特徴情報データと予め登録されている指紋データとの照合率を算出すると共に、検出されたＩＤ番号の桁数と予め登録されているＩＤ番号を照合する指紋照合手段３１と、ＩＤ番号の桁数に応じて照合率の閾値を決定する照合閾値決定手段３４と、指紋照合手段３１が算出する照合率と照合閾値決定手段３４が決定する閾値を比較して、比較結果により本人の指紋データか否かを判定する指紋照合結果判定手段３２を備える。【選択図】図１
2005115407.tif 000002
【特許請求の範囲】
【請求項１】
指紋照合を行う本人の指紋データを読み取るための指紋読取部と、
上記指紋読取部によって読み取られた指紋データの特徴情報データを抽出する特徴情報抽出手段と、
指紋照合を行う本人のＩＤ番号を入力するＩＤ番号入力手段と、
上記ＩＤ番号入力手段に入力されたＩＤ番号の桁数を検出するＩＤ桁数検出手段と、
上記特徴情報抽出手段によって抽出された特徴情報データと登録指紋データ記憶装置に予め登録されている指紋データとのデータ照合率を算出すると共に、上記ＩＤ桁数検出手段が検出するＩＤ番号の桁数とＩＤ番号記憶装置に予め登録されているＩＤ番号を照合する指紋照合手段と、
上記ＩＤ桁数検出手段が検出するＩＤ番号の桁数に応じて照合率の閾値を決定する照合閾値決定手段と、
上記指紋照合手段が算出する照合率と上記照合閾値決定手段が決定する閾値を比較し、上記指紋照合手段が算出する照合率が上記閾値より大きければ本人の指紋データであると判定する指紋照合結果判定手段を備えたことを特徴とする指紋照合装置。
【請求項２】
上記ＩＤ番号入力手段に任意の数字を付加し、ＩＤ番号の桁数を増加させる手段を備えたことを特徴とする請求項１に記載の指紋照合装置。
【発明の詳細な説明】
【技術分野】
【０００１】
この発明は、入力された指紋と予め登録されている指紋照合して個人を同定する指紋照合装置に関する。
【背景技術】
【０００２】
図５は、従来の指紋照合装置の構成を示すブロック図である。
従来の指紋照合装置においては、指紋読取部１で読み取られた指紋データは、特徴情報抽出手段２によってその特徴が解析・抽出され、特徴点データが作成される。
特徴情報抽出手段２によって抽出された特徴点データと登録指紋データ記憶装置５に予め登録されている指紋データのデータ照合率を指紋照合・判定部３０の指紋照合手段３０１で算出する。
そして、指紋照合・判定部３０の指紋照合結果判定手段３０２は、この算出されたデータ照合率と予め設定されている閾値を比較し、算出されたデータ照合率が閾値より大きければ本人と判定する。
即ち、指紋読取部１で読み取られた指紋と登録指紋データ記憶装置５に予め登録されている指紋データが一致すると判定する。
また、指紋照合しようとする人の指紋状態が悪い場合は、暗証番号入力手段４０によって暗証番号を入力し、この入力された暗証番号と暗証番号登録データ記憶装置６０に予め登録されている暗証番号を指紋照合結果判定手段３０２で比較し、一致すれば本人と判定する。
この照合結果に基づいて、照合結果表示手段により判定結果の表示などのアクションを実行する。
【０００３】
また、特許文献１（特開平９−１４７１０４号公報）には、画像として検出した指紋の特徴点を抽出する特徴点抽出手段と、暗証番号により検索した登録指紋の特徴点と特徴点抽出手段が抽出した指紋の特徴点を照合し、両者が一致したとき同定判定を出力する照合手段と、暗証番号により検索した登録指紋が無効指紋であるときに特徴点抽出手段の出力から特徴点を計数する特徴点計数手段と、該特徴点抽出手段による特徴点数値が予め設定された所定範囲値からはずれているときに特徴点数異常を出力する比較手段を設け、照合判定手段による同定判定出力および特徴点異常判定による強制同定判定出力のいずれかを介して承認出力を発する指紋照合装置が示されている。
即ち、特許文献１（特開平９−１４７１０４号公報）の例では、暗証番号と指紋の状態の組合せで、本人か否かを判定している。
【特許文献１】特開平９−１４７１０４号公報（図１、段落００３７）
【発明の開示】
【発明が解決しようとする課題】
【０００４】
従来の指紋照合装置では、暗証番号で指紋照合するケースがあるので、セキュリティ性が低くなるという問題点があった。
この発明は、上述のように問題点を解決するためになされたもので、セキュリティ性を落とすことなく、指紋による本人確認を行うことのできる高信頼度な指紋照合装置を提供することを目的とする。
【課題を解決するための手段】
【０００５】
この発明に係る指紋照合装置は、指紋照合を行う本人の指紋データを読み取るための指紋読取部と、上記指紋読取部によって読み取られた指紋データの特徴情報データを抽出する特徴情報抽出手段と、指紋照合を行う本人のＩＤ番号を入力するＩＤ番号入力手段と、上記ＩＤ番号入力手段に入力されたＩＤ番号の桁数を検出するＩＤ桁数検出手段と、特徴情報抽出手段によって抽出された特徴情報データと登録指紋データ記憶装置に予め登録されている指紋データとのデータ照合率を算出すると共に、上記ＩＤ桁数検出手段が検出するＩＤ番号の桁数とＩＤ番号記憶装置に予め登録されているＩＤ番号を照合する指紋照合手段と、上記ＩＤ桁数検出手段が検出するＩＤ番号の桁数に応じて照合率の閾値を決定する照合閾値決定手段と、上記指紋照合手段が算出する照合率と上記照合閾値決定手段が決定する閾値を比較し、上記指紋照合手段が算出する照合率が上記閾値より大きければ本人の指紋データであると判定する指紋照合結果判定手段を備えたものである。
【発明の効果】
【０００６】
本発明によれば、照合閾値決定手段はＩＤ桁数検出手段が検出するＩＤ番号の桁数に応じて照合率の閾値を決定し、指紋照合結果判定手段は指紋照合手段が算出する照合率と照合閾値決定手段が決定する閾値を比較し、指紋照合手段が算出する照合率が閾値より大きければ本人の指紋データであると判定するので、セキュリティ性を落とすことなく、指紋による本人確認を行うことができる。
【発明を実施するための最良の形態】
【０００７】
本発明の一実施の形態について、図面に基づいて説明する。
なお、従来と同一符号は従来のものと同一あるいは相当のものを表す。
実施の形態１．
図１は、実施の形態１による指紋照合装置の構成を示すブロック図である。
指紋読取部１で読み取られた指紋データは、特徴情報抽出手段１により特徴点が解析・抽出され、特徴点データが作成される。
この特徴情報抽出手段１により作成された特徴点データと登録指紋データ記憶装置５に予め登録されている指紋データの照合率を指紋照合・判定部３の指紋照合手段３１で算出する。
【０００８】
特徴情報抽出手段２により作成された特徴点データと、ＩＤ番号入力手段４より入力されたＩＤ番号に基づいて、ＩＤ番号記憶装置６に記憶されている同じＩＤ番号に対応して登録指紋データ記憶装置５に予め登録されている指紋データとの照合率を、指紋照合判定部３の指紋照合手段３１で算出する。
即ち、登録指紋データ記憶装置５に記憶される指紋データとＩＤ番号記憶装置６に記憶されるＩＤ番号はペアで記憶されている。
そして、指紋照合する際には、ＩＤ番号入力手段４より入力されたＩＤ番号に対応する指紋データと、今回特徴情報抽出手段２が抽出した特徴点データとを照合する。
また、ＩＤ番号入力手段４により入力されたＩＤ番号の数字列は、指紋照合・判定部３のＩＤ桁数検出手段３３でＩＤ番号の桁数が検出される。
そして、ＩＤ桁数検出手段３３で検出されたＩＤ番号の桁数が指紋照合手段３１および後述する照合閾値決定手段３４に入力される。
【０００９】
照合閾値決定手段３４は、ＩＤ桁数検出手段３３から入力されるＩＤ番号の桁数に応じて最適な照合率の閾値を決定し、決定した閾値を指紋照合・判定部３の指紋照合結果判定手段３２に入力する。
そして、指紋照合結果判定手段３２は、指紋照合手段３１で算出されたデータ照合率と照合閾値決定手段３４から入力された閾値を比較し、指紋照合手段３１で算出されたデータ照合率が照合閾値決定手段３４から入力された閾値より大きければ本人と判定し、照合結果表示手段で判定結果の表示などのアクションを実行する。
【００１０】
照合閾値決定手段３４における処理の概念について説明する。
図２は、指紋照合における他人受け入れ率（ＦＡ）、本人拒否率（ＦＲ）と照合閾値との関係を示す図である。
図に示すように、例えば、照合閾値をＴＨ１としたときのＦＡ、ＦＲはそれぞれＦＡ１、ＦＲ１となる。
また、照合閾値をＴＨ２と小さくすると、ＦＲは現象するが、ＦＡは大きくなり、本人は通しやすくなるが、他人を謝って受け入れる確率が増加する。
【００１１】
ここで、ＩＤ番号を暗証番号と見なし、この番号と指紋を併用したときのＦＡは以下のようになる。
ＦＡ併用  ＝  指紋のＦＡ＊Ｍ＊ＩＤ番号のＦＡ
ここで、Ｍは指紋の登録数である。
ＩＤ番号のＦＡは、ＩＤ番号の桁数をＮとすると、以下で計算される。
ＦＡ  ＝  １／１０＊＊Ｎ（１０のＮ乗）
図３は、ＩＤ番号を併用したときの他人受け入れ率（ＦＡ）、本人拒否率（ＦＲ）と照合閾値との関係を示す図である。
図において、ＩＤ番号併用ＦＡのカーブがＩＤ番号を併用したときの他人受け入れ率（ＦＡ）となる。
このように、ＩＤ番号を併用すると他人受け入れ率（ＦＡ）は減少し、セキュリティ性を落とすことなく、指紋による本人確認を行うことができる。
【００１２】
図４は、ＩＤ番号の桁数を変化させたときの他人受け入れ率（ＦＡ）、本人拒否率（ＦＲ）と照合閾値との関係を示す図である。
図に示すように、目標とする他人受け入れ率（ＦＡ）を満足する閾値をＩＤ番号の桁数に応じて算出すればよい。
図４の例では、ＩＤ番号がない場合の閾値はＴＨ０、ＩＤ番号の桁数がＮのときの閾値はＴＨＮであることを示している。
同様に、ＩＤ番号の桁数がＮ＋１、Ｎ＋２、Ｎ＋３・・・のときの閾値は、ＴＨＮ＋１、ＴＨＮ＋２、ＴＨＮ＋３・・・である。
このように、ＩＤ番号入力手段４に任意の数字を付加し、ＩＤ番号の桁数を増加させる手段（図示せず）を備え、ＩＤ番号の桁数を増加させることによって、さらに他人受け入れ率（ＦＡ）を小さくし、より高信頼度な指紋照合装置を実現することができる。
【００１３】
なお、ＩＤ番号がない場合は、指紋読取部１で読み取った指紋データと登録指紋データ記憶装置５に登録されている全指紋データを照合して、本人を特定してもよい。
また、照合閾値決定手段３４は、ＩＤ番号の桁数に応じて連続的に閾値を決定するのではなく、例えは、桁数を４、６、８等の３種類に固定し、閾値も大、中、小と固定してもよい。
【００１４】
以上説明したように、本実施の形態による指紋照合装置は、指紋照合を行う本人の指紋データを読み取るための指紋読取部１と、指紋読取部１によって読み取られた指紋データの特徴情報データを抽出する特徴情報抽出手段２と、指紋照合を行う本人のＩＤ番号を入力するＩＤ番号入力手段４と、該ＩＤ番号入力手段４に入力されたＩＤ番号の桁数を検出するＩＤ桁数検出手段３３と、特徴情報抽出手段２によって抽出された特徴情報データと登録指紋データ記憶装置５に予め登録されている指紋データとのデータ照合率を算出すると共に、ＩＤ桁数検出手段３３が検出するＩＤ番号の桁数とＩＤ番号記憶装置６に予め登録されているＩＤ番号を照合する指紋照合手段３１と、ＩＤ桁数検出手段３３が検出するＩＤ番号の桁数に応じて照合率の閾値を決定する照合閾値決定手段３４と、指紋照合手段３１が算出する照合率と照合閾値決定手段３４が決定する閾値を比較して、指紋照合手段３１が算出する照合率が照合閾値決定手段３４が決定する閾値より大きければ本人の指紋データであると判定する指紋照合結果判定手段３２を備えたことにより、セキュリティ性を落とすことなく、指紋による本人確認を高信頼度に行うことができる。
【００１５】
また、ＩＤ番号入力手段４に任意の数字を付加し、ＩＤ番号の桁数を増加させる手段を備えたことにより、さらに高信頼度な指紋照合装置を実現できる。
【産業上の利用可能性】
【００１６】
本発明は、入力された指紋と予め登録されている指紋照合して個人を同定する指紋照合装置に係わり、特に、セキュリティ性を落とすことなく、指紋による本人確認を行うことができる高信頼度な指紋照合装置の提供に有用である。
【図面の簡単な説明】
【００１７】
【図１】実施の形態１による指紋照合装置の構成を示すブロック図である。
【図２】指紋照合における他人受け入れ率（ＦＡ）、本人拒否率（ＦＲ）と照合閾値との関係を示す図である。
【図３】ＩＤ番号を併用したときの他人受け入れ率（ＦＡ）、本人拒否率（ＦＲ）と照合閾値との関係を示す図である。
【図４】ＩＤ番号の桁数を変化させたときの他人受け入れ率（ＦＡ）と照合閾値との関係を示す図である。
【図５】従来の指紋照合装置の構成を示すブロック図である。
【符号の説明】
【００１８】
１  指紋読取部                      ２  特徴情報抽出手段
３  指紋照合・判定部                ４  ＩＤ番号入力手段
５  登録指紋データ記憶装置          ６  ＩＤ番号記憶装置
７  照合結果表示手段
３１  指紋照合手段                  ３２  照合結果判定手段
３３  ＩＤ桁数検出手段              ３４  照合閾値決定手段
【図１】
2005115407.tif 000003
【図２】
2005115407.tif 000004
【図３】
2005115407.tif 000005
【図４】
2005115407.tif 000006
【図５】
2005115407.tif 000007